(57)【要約】【課題】停電が発生した後においても、主幹開閉器等の配電機器の遮断原因を確認可能な、分電盤の感震リレーを提供すること。【解決手段】地震を検出して、主幹開閉器や分岐開閉器等の配電機器に対し遮断信号を送信する感震リレー４であって、この感震リレー４の外表面には、前記遮断信号の送信時に、機械的に表示を切り替える機械式表示部７を設けるものとした。また、機械式表示部７は、遮断信号の送信後に、切り替えた表示を保持する表示保持部としての永久磁石を備えることが好ましい。【選択図】図２
2015208062.tif 000002
【特許請求の範囲】
【請求項１】
地震を検出して、主幹開閉器や分岐開閉器等の配電機器に対し遮断信号を送信する感震リレーであって、
該感震リレーの外表面には、前記遮断信号の送信時に、機械的に表示を切り替える機械式表示部を設けたことを特徴とする感震リレー。
【請求項２】
前記機械式表示部は、前記遮断信号の送信後に、切り替えた表示を保持する表示保持部を備えたことを特徴する請求項１記載の感震リレー。
【請求項３】
前記表示保持部は、永久磁石であることを特徴とする請求項２記載の感震リレー。
【請求項４】
前記表示保持部により保持された表示を、再度切り替えるリセット部を設けたことを特徴とする請求項２または３記載の感震リレー。
【請求項５】
前記機械式表示部は、磁気反転表示器であることを特徴とする請求項１記載の感震リレー。
【請求項６】
前記機械式表示部は、ソレノイドを用いて表示を切り替えることを特徴とする請求項１記載の感震リレー。
【発明の詳細な説明】
【技術分野】
【０００１】
本発明は、分電盤に設けられた主幹開閉器等の配電機器の遮断原因を確認可能とする、感震リレーに関するものである。
【背景技術】
【０００２】
分電盤に設けられた主幹開閉器には、主幹バーを介して分岐開閉器が接続されており、さらにこの分岐開閉器には、それぞれ電気機器等の負荷が接続されている。さらに、地震等の外的要因が発生した際には、これらの負荷が地震により損傷した状態で通電することにより漏電が起こり、火災等の二次災害が発生しないように、感震リレーが、分電盤内に設けられている。この感震リレーは、地震発生時に主幹開閉器に対して遮断信号を送ることによって、通電を遮断するものである。また、感震リレーには、地震波を検出した際にはランプやブザー等によってその情報を表示しなければならない旨が規定されており、例えば特許文献１に示すように、地震波を検出した際には感震リレーに設けられた表示部（ＬＥＤ）によって表示を行うものがある。
【０００３】
しかしながら、感震リレーは商用電源から主幹開閉器を介して電源が供給されているため、主幹開閉器が遮断されて停電が発生した後には表示部による表示が消えてしまい、主幹開閉器の遮断原因が、感震リレーの機能によるものであるか否かの確認ができず、また、主幹開閉器においても漏電表示ボタンが設けられているが、感震リレーが作動し、主幹開閉器を遮断した場合でもこの漏電表示ボタンによる表示が行われるため、復帰時に遮断の要因が地震によるものか漏電によるものか判断できず、主幹開閉器の再投入が行えない問題があった。
【先行技術文献】
【特許文献】
【０００４】
【特許文献１】特許第４６８５４３２号公報
【発明の概要】
【発明が解決しようとする課題】
【０００５】
本発明の目的は前記した従来の問題点を解決し、停電が発生した後においても、主幹開閉器等の配電機器の遮断原因を確認可能な、感震リレーを提供することである。
【課題を解決するための手段】
【０００６】
上記課題を解決するためになされた本発明は、地震を検出して、主幹開閉器や分岐開閉器等の配電機器に対し遮断信号を送信する感震リレーであって、該感震リレーの外表面には、前記遮断信号の送信時に、機械的に表示を切り替える機械式表示部を設けたことを特徴とするものである。
【０００７】
請求項２に係る発明は、請求項１記載の感震リレーにおいて、前記機械式表示部は、前記遮断信号の送信後に、切り替えた表示を保持する表示保持部を備えたことを特徴するものである。
【０００８】
請求項３に係る発明は、請求項２記載の感震リレーにおいて、前記表示保持部は、永久磁石であることを特徴とするものである。
【０００９】
請求項４に係る発明は、請求項２または３記載の感震リレーにおいて、前記表示保持部により保持された表示を、再度切り替えるリセット部を設けたことを特徴とするものである。
【００１０】
請求項５に係る発明は、請求項１記載の感震リレーにおいて、前記機械式表示部は、磁気反転表示器であることを特徴とするものである。
【００１１】
請求項６に係る発明は、請求項１記載の感震リレーにおいて、前記機械式表示部は、ソレノイドを用いて表示を切り替えることを特徴とするものである。
【発明の効果】
【００１２】
本発明に係る感震リレーは、その外表面に、遮断信号の送信時に機械的に表示を切り替える機械式表示部を設けるものとした。これにより、停電が発生した後においても機械式表示部の表示を確認することにより、主幹開閉器の遮断原因が、感震リレーにより通電が遮断されたことによるものであるか否かの判別を行うことが可能となる。
【００１３】
請求項２に係る発明によれば、遮断信号の送信後に、切り替えた表示を保持する表示保持部を備えるものとしたことにより、操作が行われない限り表示が変更されることがない。
【００１４】
請求項３に係る発明によれば、表示保持部を永久磁石とすることにより、電流等を流すことなく表示を保持することが可能となる。
【００１５】
請求項４に係る発明によれば、リセット部を設けることによって、停電からの復旧後に表示を元の状態に戻すことが可能となる。
【００１６】
請求項５に係る発明のように、機械式表示部を磁気反転表示器とすることにより、コイルに電流を流すことで磁気反転表示器のディスクを反転させることができ、また請求項６に係る発明のように、機械式表示部はソレノイドを用いて表示を切り替えるものとすることにより、同様にコイルに電流を流すことでソレノイドのプランジャを移動させることができ、容易な操作・制御で表示を切り替えることが可能となる。
【図面の簡単な説明】
【００１７】
【図１】本実施形態の分電盤を示す正面図である。
【図２】本実施形態の感震リレーを示す斜視図である。
【図３】本実施形態のソレノイドを示す斜視図である。
【図４】ソレノイドの排出状態を示す断面図である。
【図５】ソレノイドの吸引状態を示す断面図である。
【図６】感震リレーにおける遮断信号送信時を示す回路図である。
【図７】感震リレーにおけるリセットボタン押圧時を示す回路図である。
【図８】遮断信号未送信時の感震リレーを示す正面図である。
【図９】遮断信号送信後の感震リレーを示す正面図である。
【図１０】動作ピンにより表示保持部を構成した際のソレノイドの排出状態を示す断面図である。
【図１１】動作ピンにより表示保持部を構成した際のソレノイドの吸引状態を示す断面図である。
【図１２】磁気反転表示器の初期状態を示す斜視図である。
【図１３】磁気反転表示器の表示状態を示す斜視図である。
【図１４】感震リレーの内部構造を示すブロック図である。
【発明を実施するための形態】
【００１８】
以下に本発明の好ましい実施形態を示す。
図１において、分電盤に設けられた主幹開閉器１には、主幹バー２を介して分岐開閉器３や切替開閉器等が接続されており、この分岐開閉器３には、図示しない電気機器等の負荷が接続される。さらに、地震等の外的要因が発生した際には、これら接続された負荷が地震により損傷した状態で通電することにより漏電が起こり、火災等の二次災害が発生しないように、分電盤内には感震リレー４が設けられている。感震リレー４は、出力線５を介して主幹開閉器１に接続されており、地震等の発生時には、主幹開閉器１に対して遮断信号を送信するものである。この遮断信号は、擬似漏電を発生させる、メカ機構を動作させる、またはアース端子に漏電させる等により、主幹開閉器１を遮断するものである。なお、本実施形態においては、感震リレー４は、分岐開閉器３の分岐列に組み込んで、電源が供給されるものとしたが、分岐列外や分電盤外に配置することもできる。
【００１９】
感震リレー４の外表面には、図２のように、電気式表示部６と機械式表示部７の２種類の表示部が形成されている。このうち電気式表示部６は、地震等の外的要因が生じた際に、それを検出してランプやブザー等により表示を行うものである。また機械式表示部７は、前記外的要因を検出した際に、前述の通り出力線５を介して主幹開閉器１や分岐開閉器３や図示しない切替開閉器など接続される負荷への通電を規制する配電機器に対して遮断信号を送ると同時に、この遮断信号が送信済みであることを機械的に表示するものである。なお、本明細書において機械式とは、電流を流すことにより表示部を可動させて、表示を切り替えるものを意味する。
【００２０】
機械式表示部７は、図３または図１２のように、ソレノイド８や磁気反転表示器９により構成するものとした。これにより、コイルに１０に電流を流すことでソレノイド８のプランジャ１１を移動させる、または磁気反転表示器９のディスク２１の表示を反転させることができ、前記遮断信号の送信と同時に機械的に表示を切り替えることができるものとした。このような構成により、停電が発生した後においても機械式表示部７の表示を確認することにより、主幹開閉器１の遮断原因が、感震リレー４により通電が遮断されたことによるものであるか否かの判別を行うことが可能となる。
【００２１】
以上のような機械式器表示部７を備えた感震リレー４である感震リレー内部の詳細な構造について、以下に説明する。
図１４のように、電源部２２には電源端子２３を介して電源が供給されており、この電源部２２によって、各回路に対して電源が供給されている。感震リレー内の感震センサ２４は、地震波（Ｓ波）を検出して、その検出情報を判定回路２５に送信するものである。この判定回路２５は、検出情報を受信した際に、出力端子２６を介して遮断信号を送信すると同時に、検出情報を記憶部２７に送信する。記憶部２７は、Ｓ波の検出から主幹開閉器１を遮断するまでの３分間に、商用側の操作等により停電が発生した場合には、検出情報を記憶して、主幹開閉器１を遮断する信号を送信するものである。なお、前記３分間にリセットボタン２８が押圧されると、その記憶された検出情報は消去される。また記憶部２７は、感震リレーの電源を切り、８秒以内にＳ波を感知した際に、再度電源投入時に主幹開閉器１を遮断するものである。受信部２９は、緊急地震速報や地震波（Ｐ波）等の地震情報を受信した際に判定回路２５に地震情報を出力し、出力端子２６を介して遮断信号を送信するものである。この受信部２９と、前記感震センサ２４との併用によって、より安全性を高めることができるものとした。また、設定部３０は判定回路２５の条件範囲内でのみ、出力条件を変更可能としたものであり、テストボタン３１は、出力端子２６に擬似的に信号を送信するものである。
【００２２】
機械式表示部７を構成するソレノイド８及び磁気反転表示器９の詳細について、以下説明する。
ソレノイド８は、図３のように、先端が色づけされた鉄芯のプランジャ１１と、このプランジャ１１が挿入されるケース１２と、コイル１０とを備えている。図１４のように、感震リレー内の判定回路２５は、感震リレー内の感震センサ２４や受信部２９から検出情報または地震情報が入力された際には、出力端子２６を介して主幹開閉器１を遮断する遮断信号を送信する。さらに、それと同時に、図６のように可動接触子１６をセット端子部１７と接続することにより、コイル１０に電流が流れる。これにより、プランジャ１１が吸引されて図４から図５の状態に変化するため、プランジャ１１の色づけされた先端の位置が移動して、図８から図９の表示状態へと移行し、表示が切り替えられることとなる。また、プランジャ１１が吸引された状態を保持する、すなわち切り替えた表示を保持するための表示保持部として、永久磁石１３をケース１２内に備えるものとした。これにより、永久磁石１３によってプランジャ１１の移動が規制され、電流等を流すことなく表示を保持することが可能となる。さらに、この状態で、感震リレー内にリセット部として設けられたリセットボタン２８が押圧されると、判定回路２５は図７のように可動接触子１６をリセット端子部１８と接続することで、コイル１０に流す電流の極性を反転させる。これにより、プランジャ１１が排出されて、表示がリセットされ、再び永久磁石１３によりプランジャ１１が排出された状態、すなわち初期状態が保持される。したがって、表示の切り替え、及び停電からの復旧後のリセットは、何れも動作時に電流を流す、または流す電流の極性を反転させることのみで容易に操作・制御することが可能となり、またコイル１０に電流が流れ続けることによる焼損等が発生せず、低コストで動作可能となる。
【００２３】
なお、表示保持部としては、永久磁石１３に限定されず、図１０及び図１１のように、プランジャ１１に切欠部１４を形成した上で、判定回路２５の信号により動作ピン１５を摺動させて、動作ピン１５を切欠部１４に嵌合することにより、プランジャ１１を保持するものとしても良い。
【００２４】
図１２及び図１３のように、磁気反転表示器９は、磁性体に外部磁場をかけた際に、磁気的に分極して磁石となる現象を利用したものである。磁性体ピン１９にはコイル１０が巻き付けられており、さらにこの磁性体ピン１９に隣接してマグネット性のディスク２１が配置されている。なお、ディスク１は一方の面が白色であり、他方の面が色づけされたものである。遮断信号の送信と同時に、セット端子部１７とコモン端子部２０間に電流を流すと、磁性体ピン１９が磁化され、ディスク２１が反転して、図１２から図１３の状態に変化し色づけされた面が表示される。なお、再度電流が流れない限り、ディスク２１の磁極の状態は変化しないため、切り替えた表示のまま保持されることとなる。さらに、ソレノイド８と同様に、リセットボタン２８が押圧されると、判定回路２５はコモン端子部２０とリセット端子部１８間に電流を流し、これにより、磁性体ピン１９が反対の極性に磁化されることとなる。したがって、ディスク２１は再び反転し、初期状態に戻ることとなる。このように、ソレノイド８と同様、ディスク２１を反転させて表示を切り替える、または初期状態に戻すときのみ通電を行えば良く、容易に操作・制御することが可能であり、また低コストで動作可能となる。
【符号の説明】
【００２５】
１  主幹開閉器
２  主幹バー
３  分岐開閉器
４  感震リレー
５  出力線
６  電気式表示部
７  機械式表示部
８  ソレノイド
９  磁気反転表示器
１０  コイル
１１  プランジャ
１２  ケース
１３  永久磁石
１４  切欠部
１５  動作ピン
１６  可動接触子
１７  セット端子部
１８  リセット端子部
１９  磁性体ピン
２０  コモン端子部
２１  ディスク
２２  電源部
２３  電源端子
２４  感震センサ
２５  判定回路
２６  出力端子
２７  記憶部
２８  リセットボタン
２９  受信部
３０  設定部
３１  テストボタン
【図１】
2015208062.tif 000003
【図２】
2015208062.tif 000004
【図３】
2015208062.tif 000005
【図４】
2015208062.tif 000006
【図５】
2015208062.tif 000007
【図６】
2015208062.tif 000008
【図７】
2015208062.tif 000009
【図８】
2015208062.tif 000010
【図９】
2015208062.tif 000011
【図１０】
2015208062.tif 000012
【図１１】
2015208062.tif 000013
【図１２】
2015208062.tif 000014
【図１３】
2015208062.tif 000015
【図１４】
2015208062.tif 000016